(57)【要約】      （修正有）【課題】ネックレスの糸通し装置を提供する。【解決手段】ネックレスの糸通し装置は、糸通し器１０を含み、糸通し器の中には糸通しチャンバ１１が設置され、糸通しチャンバの中には収納機構７０が設置され、収納機構は回転棒３６と、大歯車３８と、制限棒３７と、取り外し可能の糸通し棒１３とを含み、制限棒は回転棒の回転を制限でき、収納機構はさらに鉄塊１７を含み、収納機構の右側には糸通し機構７１が設置される。糸通しチャンバの前端壁の中にはハンドル付きの手動軸４２が回転可能に設置され、ハンドルを回転させ、ビーズ押し棒の回転を連動させ、ビーズを押して前記ゴムブロック１６を通り越して糸３４に掛ける。ハンドルを回転させることで素早く糸通しを完了し、効率的であり、また、ネックレス制作における従業員への要求を減らし、大規模生産に対応でき、さらに、本装置は駆動源が必要なく、エコである。【選択図】図１
2020179131.tif 000002
【特許請求の範囲】
【請求項１】
正面視で、糸通し器を含み、前記糸通し器の中には糸通しチャンバが設置され、前記糸通しチャンバの中には収納機構が設置され、前記収納機構は回転棒と、大歯車と、制限棒と、取り外し可能の糸通し棒とを含み、前記制限棒は前記回転棒の回転を制限でき、前記収納機構はさらに鉄塊を含み、前記収納機構の右側には糸通し機構が設置され、前記糸通し機構は空心歯車と、台形ブロックと制限溝とを含み、前記空心歯車と前記大歯車とは噛み合っており、前記糸通し機構はさらに運動歯車と伝動歯車とを含み、前記台形ブロックが前記制限溝から離脱した時に、前記運動歯車を後ろに運動連動させて前記大歯車と噛み合わせることができ、前記糸通し機構の上側には通知機構が設置され、前記通知機構は磁力のある磁力棒と、弾性棒と、警報ベルとを含み、前記鉄塊が前記磁力棒のところに運動した時に前記磁力棒に吸着され、それにより、前記弾性棒は押されて前記警報ベルを叩くことを特徴とするネックレスの糸通し装置。
【請求項２】
前記収納機構は弱磁石を含み、前記糸通し器の左右端面には二つの手すりが対称的に、且つ固定的に設置され、前記糸通しチャンバの左端壁には糸通し棒が固定的に設置され、前記糸通し棒の上下端面には二つのゴムブロックが対称的に、且つ固定的に設置され、前記糸通し棒の右端面の中には磁性溝が設置され、前記磁性溝の左端壁には弱磁石が固定的に設置され、前記磁性溝の中には右端が前記糸通しチャンバの中に位置する鉄塊がスライド可能に設置され、前記鉄塊の右端面には二つのクリップが上下対称に、且つ回転可能に設置され、二つの前記クリップの間にはクリップばねが設置され、前記糸通しチャンバの下端壁には制限棒が固定的に設置され、前記糸通しチャンバの後端壁には制限軸が回転可能に設置され、前記制限棒には大歯車が固定的に設置され、前記大歯車の前側には前記制限軸と固定された回転棒が設置されていることを特徴とする請求項１に記載のネックレスの糸通し装置。
【請求項３】
前記糸通し機構は制限溝を含み、前記糸通しチャンバの前端壁の中にはハンドル付きの手動軸が回転可能に設置され、前記糸通しチャンバの中の位置する前記手動軸には柱形溝が設置され、前記柱形溝には空心歯車が回転可能に設置され、前記空心歯車の中には制限溝が設置され、前記手動軸の中には圧力溝が設置され、前記圧力溝の下端壁には圧力ばねが固定的に設置され、前記圧力ばねの上端には台形ブロックが固定的に設置され、前記手動軸の後端面には伸縮溝が設置され、前記伸縮溝の上端壁には弾力溝が設置され、前記弾力溝の中には弾力ブロックがスライド可能に設置され、前記弾力ブロックの下端は前記伸縮溝の中に位置し、且つ前記弾力ブロックの下端には伸縮棒が固定的に設置され、前記弾力ブロックの前端には前記弾力溝の前端壁と固定された弾力ばねが固定的に設置され、前記弾力溝の前端と前記台形ブロックの下端とはロープによって固定され、前記手動軸の後側には運動歯車が設置され、前記運動歯車の中には円形溝が設置され、前記伸縮棒の後端は前記円形溝の中に位置し、且つ前記伸縮棒の後端には円形ブロックが固定的に設置され、前記空心歯車の上下端面には二つのビーズ押し棒が対称的に、且つ固定的に設置され、前記糸通しチャンバの後端壁には入力軸が回転可能に設置され、前記入力軸には伝動歯車が固定的に設置され、前記伝動歯車の前側には前記入力軸と固定された入力プーリが設置され、前記入力軸の右側には前記糸通しチャンバの後端壁と回転可能に設置された出力軸が設置され、前記出力軸には出力プーリが固定的に設置され、前記出力プーリと前記入力プーリとはコンベアベルトによって摩擦できるように伝動され、前記コンベアベルトの下端面には運動ブロックが固定的に設置され、前記運動ブロックの下端面には運動溝が設置され、前記運動溝の上端壁には運動ばねが固定的に設置され、前記運動ばねの下端には強磁石が固定的に設置されていることを特徴とする請求項１に記載のネックレスの糸通し装置。
【請求項４】
前記通知機構は昇降ばねを含み、前記糸通し器の上端面には支持ブロックが固定的に設置され、前記支持ブロックの右端面には警報ベルが固定的に設置され、前記糸通しチャンバの上端壁には下端が前記糸通しチャンバの中に位置する磁力棒が嵌め込んでおり、前記磁力棒の中には叩き溝が設置され、前記叩き溝の右端壁の中には昇降溝が設置され、前記昇降溝の上端壁には昇降ばねが固定的に設置され、前記昇降ばねの下端壁には前記昇降溝とスライド可能に設置されたＴ型ブロックが固定的に設置され、前記Ｔ型ブロックの左端には下端が前記糸通しチャンバの中に位置する弾性棒が固定的に設置され、前記糸通しチャンバの後端壁にはロープ軸が回転可能に設置され、前記ロープ軸には糸巻輪が固定的に設置され、前記糸巻輪には糸が巻き付いており、前記糸の左端はクリップによって挟まれることを特徴とする請求項１に記載のネックレスの糸通し装置。
【発明の詳細な説明】
【技術分野】
【０００１】
本発明はアクセサリー分野を取り上げ、具体的にはネックレスの糸通し装置である。
【背景技術】
【０００２】
ネックレスは頸部装飾に用いられるアクセサリーで、基本的には宝石製か金属製であり、中でも、ビーズネックレスは最もよく見かけるタイプである。しかし、既存するビーズネックレスの糸通しは基本的には人力で行われ、従業員にある程度の忍耐力と敏捷性が要求されるため、糸通し作業の効率が悪い。
【先行技術文献】
【特許文献】
【０００３】
【特許文献１】中国特許出願公開第１０８６３４５０３号明細書
【発明の概要】
【発明が解決しようとする課題】
【０００４】
本発明はネックレスの糸通し装置を提供し、既存技術にある上記の欠点を解消することを目的とする。
【課題を解決するための手段】
【０００５】
上記の目的を実現するため、本発明は以下の技術プランを提供する：本発明のネックレスの糸通し装置は、糸通し器を含み、前記糸通し器の中には糸通しチャンバが設置され、前記糸通しチャンバの中には収納機構が設置され、前記収納機構は回転棒と、大歯車と、制限棒と、取り外し可能の糸通し棒とを含み、前記制限棒は前記回転棒の回転を制限でき、前記収納機構はさらに鉄塊を含み、前記収納機構の右側には糸通し機構が設置され、前記糸通し機構は空心歯車と、台形ブロックと制限溝とを含み、前記空心歯車と前記大歯車とは噛み合っており、前記糸通し機構はさらに運動歯車と伝動歯車とを含み、前記台形ブロックが前記制限溝から離脱した時に、前記運動歯車を後ろに運動連動させて前記大歯車と噛み合わせることができ、前記糸通し機構の上側には通知機構が設置され、前記通知機構は磁力のある磁力棒と、弾性棒と、警報ベルとを含み、前記鉄塊が前記磁力棒のところに運動した時に前記磁力棒に吸着され、それにより、前記弾性棒は押されて前記警報ベルを叩く。
【０００６】
好ましくは、前記収納機構は弱磁石を含み、前記糸通し器の左右端面には二つの手すりが対称的に、且つ固定的に設置され、前記糸通しチャンバの左端壁には糸通し棒が固定的に設置され、前記糸通し棒の上下端面には二つのゴムブロックが対称的に、且つ固定的に設置され、前記糸通し棒の右端面の中には磁性溝が設置され、前記磁性溝の左端壁には弱磁石が固定的に設置され、前記磁性溝の中には右端が前記糸通しチャンバの中に位置する鉄塊がスライド可能に設置され、前記鉄塊の右端面には二つのクリップが上下対称に、且つ回転可能に設置され、二つの前記クリップの間にはクリップばねが設置され、前記糸通しチャンバの下端壁には制限棒が固定的に設置され、前記糸通しチャンバの後端壁には制限軸が回転可能に設置され、前記制限棒には大歯車が固定的に設置され、前記大歯車の前側には前記制限軸と固定された回転棒が設置されている。
【０００７】
好ましくは、前記糸通し機構は制限溝を含み、前記糸通しチャンバの前端壁の中にはハンドル付きの手動軸が回転可能に設置され、前記糸通しチャンバの中の位置する前記手動軸には柱形溝が設置され、前記柱形溝には空心歯車が回転可能に設置され、前記空心歯車の中には制限溝が設置され、前記手動軸の中には圧力溝が設置され、前記圧力溝の下端壁には圧力ばねが固定的に設置され、前記圧力ばねの上端には台形ブロックが固定的に設置され、前記手動軸の後端面には伸縮溝が設置され、前記伸縮溝の上端壁には弾力溝が設置され、前記弾力溝の中には弾力ブロックがスライド可能に設置され、前記弾力ブロックの下端は前記伸縮溝の中に位置し、且つ前記弾力ブロックの下端には伸縮棒が固定的に設置され、前記弾力ブロックの前端には前記弾力溝の前端壁と固定された弾力ばねが固定的に設置され、前記弾力溝の前端と前記台形ブロックの下端とはロープによって固定され、前記手動軸の後側には運動歯車が設置され、前記運動歯車の中には円形溝が設置され、前記伸縮棒の後端は前記円形溝の中に位置し、且つ前記伸縮棒の後端には円形ブロックが固定的に設置され、前記空心歯車の上下端面には二つのビーズ押し棒が対称的に、且つ固定的に設置され、前記糸通しチャンバの後端壁には入力軸が回転可能に設置され、前記入力軸には伝動歯車が固定的に設置され、前記伝動歯車の前側には前記入力軸と固定された入力プーリが設置され、前記入力軸の右側には前記糸通しチャンバの後端壁と回転可能に設置された出力軸が設置され、前記出力軸には出力プーリが固定的に設置され、前記出力プーリと前記入力プーリとはコンベアベルトによって摩擦できるように伝動され、前記コンベアベルトの下端面には運動ブロックが固定的に設置され、前記運動ブロックの下端面には運動溝が設置され、前記運動溝の上端壁には運動ばねが固定的に設置され、前記運動ばねの下端には強磁石が固定的に設置されている。
【０００８】
好ましくは、前記通知機構は昇降ばねを含み、前記糸通し器の上端面には支持ブロックが固定的に設置され、前記支持ブロックの右端面には警報ベルが固定的に設置され、前記糸通しチャンバの上端壁には下端が前記糸通しチャンバの中に位置する磁力棒が嵌め込んでおり、前記磁力棒の中には叩き溝が設置され、前記叩き溝の右端壁の中には昇降溝が設置され、前記昇降溝の上端壁には昇降ばねが固定的に設置され、前記昇降ばねの下端壁には前記昇降溝とスライド可能に設置されたＴ型ブロックが固定的に設置され、前記Ｔ型ブロックの左端には下端が前記糸通しチャンバの中に位置する弾性棒が固定的に設置され、前記糸通しチャンバの後端壁にはロープ軸が回転可能に設置され、前記ロープ軸には糸巻輪が固定的に設置され、前記糸巻輪には糸が巻き付いており、前記糸の左端はクリップによって挟まれる。
【発明の効果】
【０００９】
本発明の有益効果は：本発明は操作が簡単で、複雑な糸通し作業を簡略化し、ハンドルを回転させることで素早く糸通しを完了し、効率的であり、また、ネックレス制作における従業員への要求を減らし、大規模生産に対応でき、さらに、本装置は駆動源が必要なく、エコである。
【図面の簡単な説明】
【００１０】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である
【００１１】
【図１】図１は本発明のネックレスの糸通し装置の全体断面の正面構成略図
【図２】図２は本発明における手動軸の拡大構成略図
【図３】図３は本発明における手動軸の側面断面構成略図
【図４】図４は本発明におけるクリップの側面断面構成略図
【図５】図５は本発明における強磁石の正面断面構成略図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜５を参照し、本発明のネックレスの糸通し装置は、糸通し器１０を含み、前記糸通し器１０の中には糸通しチャンバ１１が設置され、前記糸通しチャンバ１１の中には収納機構７０が設置され、前記収納機構７０は回転棒３６と、大歯車３８と、制限棒３７と、取り外し可能の糸通し棒１３とを含み、前記制限棒３７は前記回転棒３６の回転を制限でき、前記収納機構７０はさらに鉄塊１７を含み、前記収納機構７０の右側には糸通し機構７１が設置され、前記糸通し機構７１は空心歯車４４と、台形ブロック４６と制限溝４７とを含み、前記空心歯車４４と前記大歯車３８とは噛み合っており、前記糸通し機構７１はさらに運動歯車６６と伝動歯車５４とを含み、前記台形ブロック４６が前記制限溝４７から離脱した時に、前記運動歯車６６を後ろに運動連動させて前記大歯車３８と噛み合わせることができ、前記糸通し機構７１の上側には通知機構７２が設置され、前記通知機構７２は磁力のある磁力棒２５と、弾性棒２７と、警報ベル２１とを含み、前記鉄塊１７が前記磁力棒２５のところに運動した時に前記磁力棒２５に吸着され、それにより、前記弾性棒２７は押されて前記警報ベル２１を叩く。
【００１４】
好ましくは、前記収納機構７０は弱磁石１４を含み、前記糸通し器１０の左右端面には二つの手すり１２が対称的に、且つ固定的に設置され、前記糸通しチャンバ１１の左端壁には糸通し棒１３が固定的に設置され、前記糸通し棒１３の上下端面には二つのゴムブロック１６が対称的に、且つ固定的に設置され、前記糸通し棒１３の右端面の中には磁性溝１４が設置され、前記磁性溝１５の左端壁には弱磁石１４が固定的に設置され、前記磁性溝１５の中には右端が前記糸通しチャンバ１１の中に位置する鉄塊１７がスライド可能に設置され、前記鉄塊１７の右端面には二つのクリップ１８が上下対称に、且つ回転可能に設置され、二つの前記クリップ１８の間にはクリップばね６３が設置され、前記糸通しチャンバ１１の下端壁には制限棒３７が固定的に設置され、前記糸通しチャンバ１１の後端壁には制限軸３９が回転可能に設置され、前記制限棒３９には大歯車３８が固定的に設置され、前記大歯車３８の前側には前記制限軸３９と固定された回転棒３６が設置されている。
【００１５】
好ましくは、前記糸通し機構７１は制限溝４７を含み、前記糸通しチャンバ１１の前端壁の中にはハンドル６２付きの手動軸４２が回転可能に設置され、前記糸通しチャンバ１１の中の位置する前記手動軸４２には柱形溝４３が設置され、前記柱形溝４３には空心歯車４４が回転可能に設置され、前記空心歯車４４の中には制限溝４７が設置され、前記手動軸４２の中には圧力溝４０が設置され、前記圧力溝４０の下端壁には圧力ばね４１が固定的に設置され、前記圧力ばね４１の上端には台形ブロック４６が固定的に設置され、前記手動軸４２の後端面には伸縮溝５７が設置され、前記伸縮溝５７の上端壁には弾力溝５９が設置され、前記弾力溝５９の中には弾力ブロック６０がスライド可能に設置され、前記弾力ブロック６０の下端は前記伸縮溝５７の中に位置し、且つ前記弾力ブロック６０の下端には伸縮棒５８が固定的に設置され、前記弾力ブロック６０の前端には前記弾力溝５９の前端壁と固定された弾力ばね６１が固定的に設置され、前記弾力溝５９の前端と前記台形ブロック４６の下端とはロープ４５によって固定され、前記手動軸４２の後側には運動歯車６６が設置され、前記運動歯車６６の中には円形溝５５が設置され、前記伸縮棒５８の後端は前記円形溝５５の中に位置し、且つ前記伸縮棒５８の後端には円形ブロック５６が固定的に設置され、前記空心歯車４４の上下端面には二つのビーズ押し棒３５が対称的に、且つ固定的に設置され、前記糸通しチャンバ１１の後端壁には入力軸５２が回転可能に設置され、前記入力軸５２には伝動歯車５４が固定的に設置され、前記伝動歯車５４の前側には前記入力軸５２と固定された入力プーリ５３が設置され、前記入力軸５２の右側には前記糸通しチャンバ１１の後端壁と回転可能に設置された出力軸３２が設置され、前記出力軸３２には出力プーリ３１が固定的に設置され、前記出力プーリ３１と前記入力プーリ５３とはコンベアベルト３３によって摩擦できるように伝動され、前記コンベアベルト３３の下端面には運動ブロック４９が固定的に設置され、前記運動ブロック４９の下端面には運動溝６５が設置され、前記運動溝６５の上端壁には運動ばね６４が固定的に設置され、前記運動ばね６４の下端には強磁石４８が固定的に設置されている。
【００１６】
好ましくは、前記通知機構７２は昇降ばね２２を含み、前記糸通し器１０の上端面には支持ブロック２０が固定的に設置され、前記支持ブロック２０の右端面には警報ベル２１が固定的に設置され、前記糸通しチャンバ１１の上端壁には下端が前記糸通しチャンバ１１の中に位置する磁力棒２５が嵌め込んでおり、前記磁力棒２５の中には叩き溝２６が設置され、前記叩き溝２６の右端壁の中には昇降溝２４が設置され、前記昇降溝２４の上端壁には昇降ばね２２が固定的に設置され、前記昇降ばね２２の下端壁には前記昇降溝２４とスライド可能に設置されたＴ型ブロック１９が固定的に設置され、前記Ｔ型ブロック１９の左端には下端が前記糸通しチャンバ１１の中に位置する弾性棒２７が固定的に設置され、前記糸通しチャンバ１１の後端壁にはロープ軸３０が回転可能に設置され、前記ロープ軸３０には糸巻輪２９が固定的に設置され、前記糸巻輪２９には糸３４が巻き付いており、前記糸３４の左端はクリップ１８によって挟まれる。
【００１７】
下記に、図１〜５及び本願のネックレスの糸通し装置の具体構成を参照し、本発明の使用方法を詳しく説明する。
【００１８】
使用時には、前記糸通し棒１３を取り外し、ビーズをつけ、手動で前記ハンドル６２を回転させ、これにより前記空心歯車４４を回転連動させ、前記空心歯車４４は前記ビーズ押し棒３５の回転を連動させ、ビーズを押して前記ゴムブロック１６を通り越して前記糸３４に掛け、前記空心歯車４４と前記大歯車３８の噛み合いにより、前記大歯車３８は回転連動され、前記大歯車３８は前記回転棒３６の回転を連動させ、定量のビーズが前記糸３４に掛けられた時に、前記回転棒３６は前記制限棒３７に止められ、前記台形ブロック４６は前記制限溝４７から離脱し、前記ロープ４５は緩められ、前記弾力ばね６１は後ろに復帰し前記運動歯車６６を押して後ろに移動させ、そして前記運動歯車６６と前記伝動歯車５４とは噛み合い、前記運動歯車６６は前記伝動歯車５４の回転を連動させ、それにより、前記入力プーリ５３を回転させ、前記入力プーリ５３は前記コンベアベルト３３の運動を連動させ、前記強磁石４８は前記コンベアベルト３３の運動とともに前記鉄塊１７のところに運動し前記鉄塊１７と吸着し、それにより、前記鉄塊１７は引き動かされて前記強磁石４８とともに運動し、前記鉄塊１７が前記磁力棒２５のところに運動した時に前記鉄塊１７は前記磁力棒２５に吸着され、それにより、前記叩き溝２６を上昇させ、前記警報ベル２１を叩き、ベルが鳴り、糸通しの完了を通知する。
【００１９】
前記ハンドル６２を逆転させ復帰させ、手動で前記糸３４を切り、糸通ししたネックレスを取り外し、そして前記鉄塊１７を手動で前記磁性溝１５の中に挿入させ、前記鉄塊１７が前記弱磁石１４に吸着され、新しい糸３４を前記クリップ１８の中に入れてきつく挟む。
【００２０】
本発明の有益効果は：本発明は操作が簡単で、複雑な糸通し作業を簡略化し、ハンドルを回転させることで素早く糸通しを完了し、効率的であり、また、ネックレス制作における従業員への要求を減らし、大規模生産に対応でき、さらに、本装置は駆動源が必要なく、エコである。
【００２１】
以上に述べたのはただ本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。
【図１】
2020179131.tif 000003
【図２】
2020179131.tif 000004
【図３】
2020179131.tif 000005
【図４】
2020179131.tif 000006
【図５】
2020179131.tif 000007
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
正面視で、糸通し器を含み、前記糸通し器の中には糸通しチャンバが設置され、前記糸通しチャンバの中には収納機構が設置され、前記収納機構は回転棒と、大歯車と、制限棒と、糸通し棒とを含み、前記制限棒は前記回転棒の回転を制限でき、前記収納機構はさらに鉄塊を含み、前記収納機構の右側には糸通し機構が設置され、前記糸通し機構は空心歯車と、台形ブロックと制限溝とを含み、前記空心歯車と前記大歯車とは噛み合っており、前記糸通し機構はさらに運動歯車と伝動歯車とを含み、前記台形ブロックが前記制限溝から離脱した時に、前記運動歯車を後ろに運動連動させて前記大歯車と噛み合わせることができ、前記糸通し機構の上側には通知機構が設置され、前記通知機構は磁力のある磁力棒と、弾性棒と、警報ベルとを含むことを特徴とするビーズを糸に通してネックレスにする設備。
【請求項２】
前記収納機構は弱磁石を含み、前記糸通し器の左右端面には二つの手すりが対称的に、且つ固定的に設置され、前記糸通しチャンバの左端壁には糸通し棒が固定的に設置され、前記糸通し棒の上下端面には二つのゴムブロックが対称的に、且つ固定的に設置され、前記糸通し棒の右端面の中には磁性溝が設置され、前記磁性溝の左端壁には弱磁石が固定的に設置され、前記磁性溝の中には右端が前記糸通しチャンバの中に位置する鉄塊がスライド可能に設置され、前記鉄塊の右端面には二つのクリップが上下対称に、且つ回転可能に設置され、二つの前記クリップの間にはクリップばねが設置され、前記糸通しチャンバの下端壁には制限棒が固定的に設置され、前記糸通しチャンバの後端壁には制限軸が回転可能に設置され、前記制限棒には大歯車が固定的に設置され、前記大歯車の前側には前記制限軸と固定された回転棒が設置されていることを特徴とする請求項１に記載のビーズを糸に通してネックレスにする設備。
【請求項３】
前記糸通し機構は制限溝を含み、前記糸通しチャンバの前端壁の中にはハンドル付きの手動軸が回転可能に設置され、前記糸通しチャンバの中の位置する前記手動軸には柱形溝が設置され、前記柱形溝には空心歯車が回転可能に設置され、前記空心歯車の中には制限溝が設置され、前記手動軸の中には圧力溝が設置され、前記圧力溝の下端壁には圧力ばねが固定的に設置され、前記圧力ばねの上端には台形ブロックが固定的に設置され、前記手動軸の後端面には伸縮溝が設置され、前記伸縮溝の上端壁には弾力溝が設置され、前記弾力溝の中には弾力ブロックがスライド可能に設置され、前記弾力ブロックの下端は前記伸縮溝の中に位置し、且つ前記弾力ブロックの下端には伸縮棒が固定的に設置され、前記弾力ブロックの前端には前記弾力溝の前端壁と固定された弾力ばねが固定的に設置され、前記弾力溝の前端と前記台形ブロックの下端とはロープによって固定され、前記手動軸の後側には運動歯車が設置され、前記運動歯車の中には円形溝が設置され、前記伸縮棒の後端は前記円形溝の中に位置し、且つ前記伸縮棒の後端には円形ブロックが固定的に設置され、前記空心歯車の上下端面には二つのビーズ押し棒が対称的に、且つ固定的に設置され、前記糸通しチャンバの後端壁には入力軸が回転可能に設置され、前記入力軸には伝動歯車が固定的に設置され、前記伝動歯車の前側には前記入力軸と固定された入力プーリが設置され、前記入力軸の右側には前記糸通しチャンバの後端壁と回転可能に設置された出力軸が設置され、前記出力軸には出力プーリが固定的に設置され、前記出力プーリと前記入力プーリとはコンベアベルトによって摩擦できるように伝動され、前記コンベアベルトの下端面には運動ブロックが固定的に設置され、前記運動ブロックの下端面には運動溝が設置され、前記運動溝の上端壁には運動ばねが固定的に設置され、前記運動ばねの下端には強磁石が固定的に設置されていることを特徴とする請求項１に記載のビーズを糸に通してネックレスにする設備。
【請求項４】
前記通知機構は昇降ばねを含み、前記糸通し器の上端面には支持ブロックが固定的に設置され、前記支持ブロックの右端面には警報ベルが固定的に設置され、前記糸通しチャンバの上端壁には下端が前記糸通しチャンバの中に位置する磁力棒が嵌め込んでおり、前記磁力棒の中には叩き溝が設置され、前記叩き溝の右端壁の中には昇降溝が設置され、前記昇降溝の上端壁には昇降ばねが固定的に設置され、前記昇降ばねの下端壁には前記昇降溝とスライド可能に設置されたＴ型ブロックが固定的に設置され、前記Ｔ型ブロックの左端には下端が前記糸通しチャンバの中に位置する弾性棒が固定的に設置され、前記糸通しチャンバの後端壁にはロープ軸が回転可能に設置され、前記ロープ軸には糸巻輪が固定的に設置され、前記糸巻輪には糸が巻き付いており、前記糸の左端はクリップによって挟まれることを特徴とする請求項１に記載のビーズを糸に通してネックレスにする設備。
【手続補正２】
【補正対象書類名】明細書
【補正対象項目名】全文
【補正方法】変更
【補正の内容】
【発明の詳細な説明】
【技術分野】
【０００１】
本発明はアクセサリー分野を取り上げ、具体的にはビーズを糸に通してネックレスにする設備である。
【背景技術】
【０００２】
ネックレスは頸部装飾に用いられるアクセサリーで、基本的には宝石製か金属製であり、中でも、ビーズネックレスは最もよく見かけるタイプである。しかし、既存するビーズネックレスの糸通しは基本的には人力で行われ、従業員にある程度の忍耐力と敏捷性が要求されるため、糸通し作業の効率が悪い。
【先行技術文献】
【特許文献】
【０００３】
【特許文献１】中国特許出願公開第１０８６３４５０３号明細書
【発明の概要】
【発明が解決しようとする課題】
【０００４】
本発明はビーズを糸に通してネックレスにする設備を提供し、既存技術にある上記の欠点を解消することを目的とする。
【課題を解決するための手段】
【０００５】
上記の目的を実現するため、本発明は以下の技術プランを提供する：本発明のビーズを糸に通してネックレスにする設備は、糸通し器を含み、前記糸通し器の中には糸通しチャンバが設置され、前記糸通しチャンバの中には収納機構が設置され、前記収納機構は回転棒と、大歯車と、制限棒と、糸通し棒とを含み、前記制限棒は前記回転棒の回転を制限でき、前記収納機構はさらに鉄塊を含み、前記収納機構の右側には糸通し機構が設置され、前記糸通し機構は空心歯車と、台形ブロックと制限溝とを含み、前記空心歯車と前記大歯車とは噛み合っており、前記糸通し機構はさらに運動歯車と伝動歯車とを含み、前記台形ブロックが前記制限溝から離脱した時に、前記運動歯車を後ろに運動連動させて前記大歯車と噛み合わせることができ、前記糸通し機構の上側には通知機構が設置され、前記通知機構は磁力のある磁力棒と、弾性棒と、警報ベルとを含み、前記鉄塊が前記磁力棒のところに運動した時に前記磁力棒に吸着される。
【０００６】
好ましくは、前記収納機構は弱磁石を含み、前記糸通し器の左右端面には二つの手すりが対称的に、且つ固定的に設置され、前記糸通しチャンバの左端壁には糸通し棒が固定的に設置され、前記糸通し棒の上下端面には二つのゴムブロックが対称的に、且つ固定的に設置され、前記糸通し棒の右端面の中には磁性溝が設置され、前記磁性溝の左端壁には弱磁石が固定的に設置され、前記磁性溝の中には右端が前記糸通しチャンバの中に位置する鉄塊がスライド可能に設置され、前記鉄塊の右端面には二つのクリップが上下対称に、且つ回転可能に設置され、二つの前記クリップの間にはクリップばねが設置され、前記糸通しチャンバの下端壁には制限棒が固定的に設置され、前記糸通しチャンバの後端壁には制限軸が回転可能に設置され、前記制限棒には大歯車が固定的に設置され、前記大歯車の前側には前記制限軸と固定された回転棒が設置されている。
【０００７】
好ましくは、前記糸通し機構は制限溝を含み、前記糸通しチャンバの前端壁の中にはハンドル付きの手動軸が回転可能に設置され、前記糸通しチャンバの中の位置する前記手動軸には柱形溝が設置され、前記柱形溝には空心歯車が回転可能に設置され、前記空心歯車の中には制限溝が設置され、前記手動軸の中には圧力溝が設置され、前記圧力溝の下端壁には圧力ばねが固定的に設置され、前記圧力ばねの上端には台形ブロックが固定的に設置され、前記手動軸の後端面には伸縮溝が設置され、前記伸縮溝の上端壁には弾力溝が設置され、前記弾力溝の中には弾力ブロックがスライド可能に設置され、前記弾力ブロックの下端は前記伸縮溝の中に位置し、且つ前記弾力ブロックの下端には伸縮棒が固定的に設置され、前記弾力ブロックの前端には前記弾力溝の前端壁と固定された弾力ばねが固定的に設置され、前記弾力溝の前端と前記台形ブロックの下端とはロープによって固定され、前記手動軸の後側には運動歯車が設置され、前記運動歯車の中には円形溝が設置され、前記伸縮棒の後端は前記円形溝の中に位置し、且つ前記伸縮棒の後端には円形ブロックが固定的に設置され、前記空心歯車の上下端面には二つのビーズ押し棒が対称的に、且つ固定的に設置され、前記糸通しチャンバの後端壁には入力軸が回転可能に設置され、前記入力軸には伝動歯車が固定的に設置され、前記伝動歯車の前側には前記入力軸と固定された入力プーリが設置され、前記入力軸の右側には前記糸通しチャンバの後端壁と回転可能に設置された出力軸が設置され、前記出力軸には出力プーリが固定的に設置され、前記出力プーリと前記入力プーリとはコンベアベルトによって摩擦できるように伝動され、前記コンベアベルトの下端面には運動ブロックが固定的に設置され、前記運動ブロックの下端面には運動溝が設置され、前記運動溝の上端壁には運動ばねが固定的に設置され、前記運動ばねの下端には強磁石が固定的に設置されている。
【０００８】
好ましくは、前記通知機構は昇降ばねを含み、前記糸通し器の上端面には支持ブロックが固定的に設置され、前記支持ブロックの右端面には警報ベルが固定的に設置され、前記糸通しチャンバの上端壁には下端が前記糸通しチャンバの中に位置する磁力棒が嵌め込んでおり、前記磁力棒の中には叩き溝が設置され、前記叩き溝の右端壁の中には昇降溝が設置され、前記昇降溝の上端壁には昇降ばねが固定的に設置され、前記昇降ばねの下端壁には前記昇降溝とスライド可能に設置されたＴ型ブロックが固定的に設置され、前記Ｔ型ブロックの左端には下端が前記糸通しチャンバの中に位置する弾性棒が固定的に設置され、前記糸通しチャンバの後端壁にはロープ軸が回転可能に設置され、前記ロープ軸には糸巻輪が固定的に設置され、前記糸巻輪には糸が巻き付いており、前記糸の左端はクリップによって挟まれる。
【発明の効果】
【０００９】
本発明の有益効果は：本発明は操作が簡単で、複雑な糸通し作業を簡略化し、ハンドルを回転させることで素早く糸通しを完了し、効率的であり、また、ネックレス制作における従業員への要求を減らし、大規模生産に対応でき、さらに、本装置は駆動源が必要なく、エコである。
【図面の簡単な説明】
【００１０】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明のビーズを糸に通してネックレスにする設備の全体断面の正面構成略図
【図２】図２は本発明における手動軸の拡大構成略図
【図３】図３は本発明における手動軸の側面断面構成略図
【図４】図４は本発明におけるクリップの側面断面構成略図
【図５】図５は本発明における強磁石の正面断面構成略図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜５を参照し、本発明のビーズを糸に通してネックレスにする設備は、糸通し器１０を含み、前記糸通し器１０の中には糸通しチャンバ１１が設置され、前記糸通しチャンバ１１の中には収納機構７０が設置され、前記収納機構７０は回転棒３６と、大歯車３８と、制限棒３７と、糸通し棒１３とを含み、前記制限棒３７は前記回転棒３６の回転を制限でき、前記収納機構７０はさらに鉄塊１７を含み、前記収納機構７０の右側には糸通し機構７１が設置され、前記糸通し機構７１は空心歯車４４と、台形ブロック４６と制限溝４７とを含み、前記空心歯車４４と前記大歯車３８とは噛み合っており、前記糸通し機構７１はさらに運動歯車６６と伝動歯車５４とを含み、前記台形ブロック４６が前記制限溝４７から離脱した時に、前記運動歯車６６を後ろに運動連動させて前記大歯車３８と噛み合わせることができ、前記糸通し機構７１の上側には通知機構７２が設置され、前記通知機構７２は磁力のある磁力棒２５と、弾性棒２７と、警報ベル２１とを含み、前記鉄塊１７が前記磁力棒２５のところに運動した時に前記磁力棒２５に吸着される。
【００１４】
好ましくは、前記収納機構７０は弱磁石１４を含み、前記糸通し器１０の左右端面には二つの手すり１２が対称的に、且つ固定的に設置され、前記糸通しチャンバ１１の左端壁には糸通し棒１３が固定的に設置され、前記糸通し棒１３の上下端面には二つのゴムブロック１６が対称的に、且つ固定的に設置され、前記糸通し棒１３の右端面の中には磁性溝１４が設置され、前記磁性溝１５の左端壁には弱磁石１４が固定的に設置され、前記磁性溝１５の中には右端が前記糸通しチャンバ１１の中に位置する鉄塊１７がスライド可能に設置され、前記鉄塊１７の右端面には二つのクリップ１８が上下対称に、且つ回転可能に設置され、二つの前記クリップ１８の間にはクリップばね６３が設置され、前記糸通しチャンバ１１の下端壁には制限棒３７が固定的に設置され、前記糸通しチャンバ１１の後端壁には制限軸３９が回転可能に設置され、前記制限棒３９には大歯車３８が固定的に設置され、前記大歯車３８の前側には前記制限軸３９と固定された回転棒３６が設置されている。
【００１５】
好ましくは、前記糸通し機構７１は制限溝４７を含み、前記糸通しチャンバ１１の前端壁の中にはハンドル６２付きの手動軸４２が回転可能に設置され、前記糸通しチャンバ１１の中の位置する前記手動軸４２には柱形溝４３が設置され、前記柱形溝４３には空心歯車４４が回転可能に設置され、前記空心歯車４４の中には制限溝４７が設置され、前記手動軸４２の中には圧力溝４０が設置され、前記圧力溝４０の下端壁には圧力ばね４１が固定的に設置され、前記圧力ばね４１の上端には台形ブロック４６が固定的に設置され、前記手動軸４２の後端面には伸縮溝５７が設置され、前記伸縮溝５７の上端壁には弾力溝５９が設置され、前記弾力溝５９の中には弾力ブロック６０がスライド可能に設置され、前記弾力ブロック６０の下端は前記伸縮溝５７の中に位置し、且つ前記弾力ブロック６０の下端には伸縮棒５８が固定的に設置され、前記弾力ブロック６０の前端には前記弾力溝５９の前端壁と固定された弾力ばね６１が固定的に設置され、前記弾力溝５９の前端と前記台形ブロック４６の下端とはロープ４５によって固定され、前記手動軸４２の後側には運動歯車６６が設置され、前記運動歯車６６の中には円形溝５５が設置され、前記伸縮棒５８の後端は前記円形溝５５の中に位置し、且つ前記伸縮棒５８の後端には円形ブロック５６が固定的に設置され、前記空心歯車４４の上下端面には二つのビーズ押し棒３５が対称的に、且つ固定的に設置され、前記糸通しチャンバ１１の後端壁には入力軸５２が回転可能に設置され、前記入力軸５２には伝動歯車５４が固定的に設置され、前記伝動歯車５４の前側には前記入力軸５２と固定された入力プーリ５３が設置され、前記入力軸５２の右側には前記糸通しチャンバ１１の後端壁と回転可能に設置された出力軸３２が設置され、前記出力軸３２には出力プーリ３１が固定的に設置され、前記出力プーリ３１と前記入力プーリ５３とはコンベアベルト３３によって摩擦できるように伝動され、前記コンベアベルト３３の下端面には運動ブロック４９が固定的に設置され、前記運動ブロック４９の下端面には運動溝６５が設置され、前記運動溝６５の上端壁には運動ばね６４が固定的に設置され、前記運動ばね６４の下端には強磁石４８が固定的に設置されている。
【００１６】
好ましくは、前記通知機構７２は昇降ばね２２を含み、前記糸通し器１０の上端面には支持ブロック２０が固定的に設置され、前記支持ブロック２０の右端面には警報ベル２１が固定的に設置され、前記糸通しチャンバ１１の上端壁には下端が前記糸通しチャンバ１１の中に位置する磁力棒２５が嵌め込んでおり、前記磁力棒２５の中には叩き溝２６が設置され、前記叩き溝２６の右端壁の中には昇降溝２４が設置され、前記昇降溝２４の上端壁には昇降ばね２２が固定的に設置され、前記昇降ばね２２の下端壁には前記昇降溝２４とスライド可能に設置されたＴ型ブロック１９が固定的に設置され、前記Ｔ型ブロック１９の左端には下端が前記糸通しチャンバ１１の中に位置する弾性棒２７が固定的に設置され、前記糸通しチャンバ１１の後端壁にはロープ軸３０が回転可能に設置され、前記ロープ軸３０には糸巻輪２９が固定的に設置され、前記糸巻輪２９には糸３４が巻き付いており、前記糸３４の左端はクリップ１８によって挟まれる。
【００１７】
下記に、図１〜５及び本願のビーズを糸に通してネックレスにする設備の具体構成を参照し、本発明の使用方法を詳しく説明する。
【００１８】
使用時には、前記糸通し棒１３を取り外し、ビーズをつけ、手動で前記ハンドル６２を回転させ、これにより前記空心歯車４４を回転連動させ、前記空心歯車４４は前記ビーズ押し棒３５の回転を連動させ、ビーズを押して前記ゴムブロック１６を通り越して前記糸３４に掛け、前記空心歯車４４と前記大歯車３８の噛み合いにより、前記大歯車３８は回転連動され、前記大歯車３８は前記回転棒３６の回転を連動させ、定量のビーズが前記糸３４に掛けられた時に、前記回転棒３６は前記制限棒３７に止められ、前記台形ブロック４６は前記制限溝４７から離脱し、前記ロープ４５は緩められ、前記弾力ばね６１は後ろに復帰し前記運動歯車６６を押して後ろに移動させ、そして前記運動歯車６６と前記伝動歯車５４とは噛み合い、前記運動歯車６６は前記伝動歯車５４の回転を連動させ、それにより、前記入力プーリ５３を回転させ、前記入力プーリ５３は前記コンベアベルト３３の運動を連動させ、前記強磁石４８は前記コンベアベルト３３の運動とともに前記鉄塊１７のところに運動し前記鉄塊１７と吸着し、それにより、前記鉄塊１７は引き動かされて前記強磁石４８とともに運動し、前記鉄塊１７が前記磁力棒２５のところに運動した時に前記鉄塊１７は前記磁力棒２５に吸着され、それにより、前記叩き溝２６を上昇させ、前記警報ベル２１を叩き、ベルが鳴り、糸通しの完了を通知する。
【００１９】
前記ハンドル６２を逆転させ復帰させ、手動で前記糸３４を切り、糸通ししたネックレスを取り外し、そして前記鉄塊１７を手動で前記磁性溝１５の中に挿入させ、前記鉄塊１７が前記弱磁石１４に吸着され、新しい糸３４を前記クリップ１８の中に入れてきつく挟む。
【００２０】
本発明の有益効果は：本発明は操作が簡単で、複雑な糸通し作業を簡略化し、ハンドルを回転させることで素早く糸通しを完了し、効率的であり、また、ネックレス制作における従業員への要求を減らし、大規模生産に対応でき、さらに、本装置は駆動源が必要なく、エコである。
【００２１】
以上に述べたのはただ本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。
【手続補正書】
【提出日】令和2年3月20日(2020.3.20)
【手続補正１】
【補正対象書類名】特許請求の範囲
【補正対象項目名】全文
【補正方法】変更
【補正の内容】
【特許請求の範囲】
【請求項１】
正面視で、糸通し器を含み、前記糸通し器の中には糸通しチャンバが設置され、前記糸通しチャンバの中には収納機構が設置され、前記収納機構は回転棒と、大歯車と、制限棒と、取り外し可能の糸通し棒とを含み、前記制限棒は前記回転棒の回転を制限でき、前記収納機構はさらに鉄塊を含み、前記収納機構の右側には糸通し機構が設置され、前記糸通し機構は空心歯車と、台形ブロックと制限溝とを含み、前記空心歯車と前記大歯車とは噛み合っており、前記糸通し機構はさらに運動歯車と伝動歯車とを含み、前記台形ブロックが前記制限溝から離脱した時に、前記運動歯車を後ろに運動連動させて前記大歯車と噛み合わせることができ、前記糸通し機構の上側には通知機構が設置され、前記通知機構は磁力のある磁力棒と、弾性棒と、警報ベルとを含み、前記糸通し棒を取り外し、ビーズをつけ、
前記収納機構は弱磁石を含み、前記糸通し器の左右端面には二つの手すりが対称的に、且つ固定的に設置され、前記糸通しチャンバの左端壁には糸通し棒が固定的に設置され、前記糸通し棒の上下端面には二つのゴムブロックが対称的に、且つ固定的に設置され、前記糸通し棒の右端面の中には磁性溝が設置され、前記磁性溝の左端壁には弱磁石が固定的に設置され、前記磁性溝の中には右端が前記糸通しチャンバの中に位置する鉄塊がスライド可能に設置され、前記鉄塊の右端面には二つのクリップが上下対称に、且つ回転可能に設置され、二つの前記クリップの間にはクリップばねが設置され、前記糸通しチャンバの下端壁には制限棒が固定的に設置され、前記糸通しチャンバの後端壁には制限軸が回転可能に設置され、前記制限棒には大歯車が固定的に設置され、前記大歯車の前側には前記制限軸と固定された回転棒が設置されており、
前記糸通し機構は制限溝を含み、前記糸通しチャンバの前端壁の中にはハンドル付きの手動軸が回転可能に設置され、前記糸通しチャンバの中の位置する前記手動軸には柱形溝が設置され、前記柱形溝には空心歯車が回転可能に設置され、前記空心歯車の中には制限溝が設置され、前記手動軸の中には圧力溝が設置され、前記圧力溝の下端壁には圧力ばねが固定的に設置され、前記圧力ばねの上端には台形ブロックが固定的に設置され、前記手動軸の後端面には伸縮溝が設置され、前記伸縮溝の上端壁には弾力溝が設置され、前記弾力溝の中には弾力ブロックがスライド可能に設置され、前記弾力ブロックの下端は前記伸縮溝の中に位置し、且つ前記弾力ブロックの下端には伸縮棒が固定的に設置され、前記弾力ブロックの前端には前記弾力溝の前端壁と固定された弾力ばねが固定的に設置され、前記弾力溝の前端と前記台形ブロックの下端とはロープによって固定され、前記手動軸の後側には運動歯車が設置され、前記運動歯車の中には円形溝が設置され、前記伸縮棒の後端は前記円形溝の中に位置し、且つ前記伸縮棒の後端には円形ブロックが固定的に設置され、前記空心歯車の上下端面には二つのビーズ押し棒が対称的に、且つ固定的に設置され、前記糸通しチャンバの後端壁には入力軸が回転可能に設置され、前記入力軸には伝動歯車が固定的に設置され、前記伝動歯車の前側には前記入力軸と固定された入力プーリが設置され、前記入力軸の右側には前記糸通しチャンバの後端壁と回転可能に設置された出力軸が設置され、前記出力軸には出力プーリが固定的に設置され、前記出力プーリと前記入力プーリとはコンベアベルトによって摩擦できるように伝動され、前記コンベアベルトの下端面には運動ブロックが固定的に設置され、前記運動ブロックの下端面には運動溝が設置され、前記運動溝の上端壁には運動ばねが固定的に設置され、前記運動ばねの下端には強磁石が固定的に設置されており、
前記通知機構は昇降ばねを含み、前記糸通し器の上端面には支持ブロックが固定的に設置され、前記支持ブロックの右端面には警報ベルが固定的に設置され、前記糸通しチャンバの上端壁には下端が前記糸通しチャンバの中に位置する磁力棒が嵌め込んでおり、前記磁力棒の中には叩き溝が設置され、前記叩き溝の右端壁の中には昇降溝が設置され、前記昇降溝の上端壁には昇降ばねが固定的に設置され、前記昇降ばねの下端壁には前記昇降溝とスライド可能に設置されたＴ型ブロックが固定的に設置され、前記Ｔ型ブロックの左端には下端が前記糸通しチャンバの中に位置する弾性棒が固定的に設置され、前記糸通しチャンバの後端壁にはロープ軸が回転可能に設置され、前記ロープ軸には糸巻輪が固定的に設置され、前記糸巻輪には糸が巻き付いており、前記糸の左端はクリップによって挟まれ、
前記強磁石は前記コンベアベルトの運動とともに前記鉄塊のところに運動し前記鉄塊と吸着し、それにより、前記鉄塊は引き動かされて前記強磁石とともに運動し、前記鉄塊が前記磁力棒のところに運動し、前記鉄塊が前記磁力棒のところに運動した時に前記磁力棒に吸着され、それにより、前記弾性棒は押されて前記警報ベルを叩くことを特徴とするビーズを糸に通してネックレスにする設備。